(57)【要約】【課題】従来の香りサンプル容器は、商品のより鮮明な香りの確認を可能にするためにさらなる改善が必要であった。【解決手段】押圧により変形し且つ弾性回復可能な容器本体１と、容器本体１の内外を連通させる通気路２と、容器本体１の外周側に張り出した鍔状の基板３とを備え、容器本体１に、香料を含むサンプル材Ｓを収容した香りサンプル容器Ａ１とし、より鮮明に商品の香りを確認することを可能にし、ポップ用品として商品のアピール性をより高めるものとした。【選択図】図１
2019026352.tif 000002
【特許請求の範囲】
【請求項１】
押圧により変形し且つ弾性回復可能な容器本体と、容器本体の内外を連通させる通気路と、容器本体の外周側に張り出した鍔状の基板とを備え、
容器本体に、香料を含むサンプル材を収容したことを特徴とする香りサンプル容器。
【請求項２】
基板を挟んで互いに貼り合わせる一対のカードを備え、
少なくとも片方のカードが、容器本体を突出させるための切り抜き部を有することを特徴とする請求項１に記載の香りサンプル容器。
【請求項３】
通気路が、容器本体を押圧した際の空気圧により開放される弁部を有することを特徴とする請求項１又は２に記載の香りサンプル容器。
【発明の詳細な説明】
【技術分野】
【０００１】
本発明は、例えば店舗等において、洗剤類や化粧品類などのように香料を使用した商品の香りを確認するのに用いられる香りサンプル容器に関するものである。
【背景技術】
【０００２】
従来、商品の香りを確認することが可能なものとして、特許文献１に記載されている包装体がある。特許文献１に記載の包装体は、商品である芳香剤を包装するものであり、基板と、片側に開放された透明なカバーとを備えている。カバーは、開放部の周縁部に、基板に接合される鍔部を有すると共に、基板との間に商品の収容空間を形成する。そして、包装体は、基板とカバーとの間に、収容空間の内外を連通させる孔部が設けてあり、この孔部を通して商品の香りを確認する（嗅ぐ）ことができる。
【０００３】
ところで、上記包装体は、それ自体が商品の一部であるから、比較的小型の商品に限られる。そこで、近年では、上記包装体に類似する香りサンプル容器として、基板と、適数の孔を形成したカバーとを備えたものがある。この香りサンプル容器は、カバー内に、香料を付着させたサンプル材を収容して、基板とカバーとを接合した構成であり、カバーの孔を通して香りを確認する（嗅ぐ）ことができる。
【先行技術文献】
【特許文献】
【０００４】
【特許文献１】特開２００５−２２６６８号公報
【発明の概要】
【発明が解決しようとする課題】
【０００５】
しかしながら、上記したような従来の香りサンプル容器は、カバー内のサンプル材の香りを外側から確認するので、香料の発散等を考慮すると、商品のより鮮明な香りの確認を可能にするためにさらなる改善が必要であった。
【０００６】
本発明は、上記従来の状況に鑑みてなされたもので、より鮮明に商品の香りを確認することが可能であって、ポップ用品として商品のアピール性をより高めることができる香りサンプル容器を提供することを目的としている。
【課題を解決するための手段】
【０００７】
本発明に係わる香りサンプル容器は、押圧により変形し且つ弾性回復可能な容器本体と、容器本体の内外を連通させる通気路と、容器本体の外周側に張り出した鍔状の基板とを備え、容器本体に、香料を含むサンプル材を収容したことを特徴としている。
【０００８】
本発明に係わる香りサンプル容器は、容器本体を押圧することで、内部の空気とともにサンプル材の香りが通気路から排出されるので、香りを直接確認（嗅ぐ）することができる。また、香りサンプル容器は、容器本体の外周側に張り出した基板に、吊り下げ用の紐類を通す孔を形成したり、商品の宣伝広告を表示したりすることが可能である。さらに、容器本体は、押圧を解放すれば元の形状に弾性回復する。
【０００９】
このように、本発明に係わる香りサンプル容器は、容器本体の押圧により通気路から香りを排出させるので、より鮮明に商品の香りを確認することが可能であって、ポップ用品として商品のアピール性をより高めることができる。
【図面の簡単な説明】
【００１０】
【図１】本発明に係わる香りサンプル容器の第１実施形態を説明する平面図（Ａ）、正面図（Ｂ）、及び側面図（Ｃ）である。
【図２】図１に示す香りサンプル容器に含まれるカードを説明する正面図である。
【図３】カードを一体化した状態を示す香りサンプル容器の正面図（Ａ）、及び側面図（Ｂ）である。
【図４】本発明に係わる香りサンプル容器の第２実施形態を説明する正面図（Ａ）、及び側面図（Ｂ）である。
【図５】図４に示す香りサンプル容器に含まれるカードを説明する正面図である。
【図６】カードを一体化した状態を示す香りサンプル容器の正面図である。
【図７】本発明に係わる香りサンプル容器の第３実施形態を説明する側面図（Ａ）、及びカードの正面図（Ｂ）である。
【発明を実施するための形態】
【００１１】
〈第１実施形態〉
図１に示す香りサンプル容器Ａ１は、押圧により変形し且つ弾性回復可能な容器本体１と、容器本体１の内外を連通させる通気路２と、容器本体１の外周側に張り出した鍔状の基板３とを備え、容器本体１に、香料を含むサンプル材Ｓを収容した構成である。
【００１２】
図示例の容器本体１は、その材料が限定されるものではないが、ポリエチレン等の合成樹脂製であって、図１（Ｂ）に示すように、正面視において円形であると共に、図１（Ａ）及び（Ｃ）に示すように、その正背面側の夫々に球面状に膨出した形態である。
【００１３】
この容器本体１は、消費者に対してサンプル材Ｓの存在を明示するために、透明又は半透明であることがより望ましい。また、容器本体１は、より望ましくは、親指と人差し指とで挟める程度の大きさであり、指の押圧により容易に変形し、押圧を解除すれば元の形態に弾性回復する。なお、容器本体１の正背面には、「押す」や「ＰＵＳＨ」などの語句を表示しても良い。
【００１４】
通気路２は、円形の容器本体１の上部において、軸線を半径方向とする管状に形成した部分である。図示例の通気路２は、その外端側に、香りの拡散を図るために直径を漸次拡大したテーパ部２Ａを有しており、テーパ部２Ａの開口部に、容器本体１を押圧した際の空気圧により開放される弁部４を有している。弁部４は、テーパ部２Ａの開口部を閉塞するように一体成形した膜に、放射状の切り込み４Ａを形成したものである。
【００１５】
基板３は、正面視で円形の容器本体１に対し、その外周側に張り出す状態で同心円状に一体成形してある。基板３の一部は、通気路２の外側にも一体化されている。この基板３には、図１（Ｂ）に示すように、当該香りサンプル容器Ａ１を吊り下げる紐類を通す孔５を形成したり、商品の宣伝広告を表示したりすることができ、後記するカードＣａ，Ｃｂの取付部分としても利用できる。
【００１６】
サンプル材Ｓは、とくに限定されるものではないが、図示例では、商品の香料を含ませた小径のボール（香り玉）であり、通気路２を通して容器本体１に入れることが可能な直径を有している。このサンプル材Ｓは、容器本体１に適量を収容する。
【００１７】
上記の香りサンプル容器Ａ１は、より好ましい実施形態として、図２に示す一対のカードＣａ，Ｃｂを備えたものとすることができる。一対のカードＣａ，Ｃｂは、基板３を挟んで互いに貼り合わせるものであり、少なくとも片方が、容器本体１を突出させるための切り抜き部６を有している。この実施形態では、容器本体１が、正背面側に膨出した形態を成しているので、両カードＣａ，Ｃｂに切り抜き部６が形成してある。
【００１８】
図示例のカードＣａ，Ｃｂは、互いの一辺で連続していると共に、連続辺を折り目として貼り合わせるものとなっており、容器本体１及び通気路２の正面形状に対応した切り抜き部６と、紐類を通すための孔７が形成してある。各切り抜き部６及び各孔７は、連続辺に対して線対称に配置してある。また、両カードＣａ，Ｃｂの貼り合わせ面の裏面（実質的に表面）に、商品の宣伝広告等を表示することができる。
【００１９】
そして、両カードＣａ，Ｃｂは、図３に示すように、基板３を挟むようにして互いに張り合わされる。これにより、香りサンプル容器Ａ１は、カードＣａ，Ｃｂの切り抜き部６により、容器本体１及び通気路２の一部が、カードＣａ，Ｃｂの正背面側に突出した状態になる。また、香りサンプル容器Ａ１は、カードＣａ，Ｃｂの孔７に紐類８を取り付けることで、商品の陳列棚等に吊り下げておくことができる。
【００２０】
上記構成を備えた香りサンプル容器Ａ１は、図３（Ｂ）に矢印で示すように、容器本体１を押圧することにより、内部の空気圧で弁部４を開放して、空気とともにサンプル材Ｓの香りを通気路２から排出し、その香りを直接的に確認（嗅ぐ）ことができる。この香りサンプル容器Ａ１は、押圧を解放すれば元の形状に弾性回復する。また、香りサンプル容器Ａ１は、先述したように、容器本体の外周側に張り出した基板に、吊り下げ用の紐類を通す孔５を形成したり、商品の宣伝広告（カードＣａ，Ｃｂ）を表示したりすることが可能である。
【００２１】
このように、上記の香りサンプル容器Ａ１は、容器本体１の押圧により通気路２から香りを排出させるので、より鮮明に商品の香りを確認（嗅ぐ）することが可能であって、ポップ用品として商品のアピール性をより高めることができる。
【００２２】
また、上記の香りサンプル容器Ａ１は、基板３を挟んで互いに貼り合わせる一対のカードＣａ，Ｃｂを備え、少なくとも片方のカードが、容器本体１を突出させるための切り抜き部６を有するので、容器本体１の機能を何ら損なうことなく、宣伝広告等の表示範囲を拡大することができ、商品のアピール性のさらなる向上に貢献し得るものとなる。
【００２３】
さらに、上記の香りサンプル容器Ａ１は、通気路２に弁部４を有するので、容器本体１の押圧時のみに、空気とともに香りが排出されることとなり、常態では、香料の発散を抑制し得る。また、上記の香りサンプル容器Ａ１は、商品の陳列場所において、香りが異なる複数個を配置する場合が多い。そこで、香りサンプル容器Ａ１は、弁部４により香料の発散を抑制することで、他の香りへの影響も抑制し得るものとなる。
【００２４】
さらに、上記の香りサンプル容器Ａ１は、通気路２に一体成形した膜に放射状の切り込み４Ａを形成した弁部４を採用している。これにより、香りサンプル容器Ａ１は、比較的簡単に弁部４を成形し得ると共に、弁部４の各片が内外方向に変形自在であるから、押圧を解放した際に、空気の吸い込みを阻害せずに、容器本体１を容易に弾性回復させることができる。
【００２５】
さらに、上記の香りサンプル容器Ａ１は、通気路２の外端側に、直径を漸次拡大するテーパ部２Ａを有するので、容器本体１を押圧した際の香りの拡散性が向上する。なお、香りサンプル容器Ａ１は、通気路２の全体が同一の直径を有するものとしても良いし、通気路２の外端側に直径を漸次縮小するノズル状部分を設けて、排出される空気（香り）の指向性を高めても良い。
【００２６】
図４〜図７は、本発明に係わる香りサンプル容器の第２及び第３の実施形態を説明する図である。以下の各実施形態において、第１実施形態と同一の構成部位については、同一の符号を付して詳細な説明を省略する。
【００２７】
〈第２実施形態〉
図４に示す香りサンプル容器Ａ２は、容器本体１が、正面視で繭玉状を成していると共に、その背面が平坦な形態である。この容器本体１には、香料を含むボール状のサンプル材Ｓが適量収容される。
【００２８】
また、香りサンプル容器Ａ２は、容器本体１の上部に、容器本体１の内外を連通させる通気路２が、その開放端を正面に向けた状態で設けてある。通気路２の開放端には、弁部４が設けてある。さらに、香りサンプル容器Ａ２は、容器本体１の外周側に張り出した鍔状の基板３を備えている。この基板３は、容器本体１の平坦な背面と同一平面状を成している。
【００２９】
さらに、香りサンプル容器Ａ２は、基板３を挟んで互いに貼り合わせる一対のカードＣａ，Ｃｂを備え、少なくとも片方のカードが、容器本体１を突出させるための切り抜き部６を有している。図示例のカードＣａ，Ｃｂは、第１実施形態と同様に、互いの一辺で連続したものであり、容器本体１の背面が平坦であるため、片方のカードＣａのみに切り抜き部６が形成してある。なお、両カードＣａ，Ｃｂには、紐類を通すための孔７が、連続辺に対して線対称の位置に形成してある。
【００３０】
そして、両カードＣａ，Ｃｂは、基板３を挟むようにして互いに張り合わされる。これにより、香りサンプル容器Ａ２は、図６に示すように、カードＣａの切り抜き部６により、容器本体１及び通気路２が、カードＣａの正背面側に突出した状態になる。また、香りサンプル容器Ａ１は、カードＣａ，Ｃｂの孔７に紐類８を取り付けることで、商品の陳列棚等に吊り下げておくことができる。
【００３１】
上記の香りサンプル容器Ａ２は、第１実施形態と同様に、容器本体１の押圧により、弁部４を開放して通気路２から香りを排出させるので、より鮮明に商品の香りを確認（嗅ぐ）することが可能であって、ポップ用品として商品のアピール性をより高めることができる。
【００３２】
また、上記の香りサンプル容器Ａ２は、基板３を挟んで互いに貼り合わせる一対のカードＣａ，Ｃｂを備えているので、容器本体１の機能を何ら損なうことなく、宣伝広告等の表示範囲を拡大することができ、しかも、通気路２に弁部４を有するので、常態では、香料の発散を抑制することができ、商品の陳列場所において、他の香りへの影響も抑制し得るものとなる。
【００３３】
〈第３実施形態〉
図７（Ａ）に示す香りサンプル容器Ａ３は、容器本体１が、第２実施形態と同様の繭玉状を成していると共に、その正背面側の両方に膨出した形態である。これにより、図７（Ｂ）に示す一対のカードＣａ，Ｃｂは、いずれも容器本体１の形状に対応した切り抜き部６及び孔７を有している。
【００３４】
上記の香りサンプル容器Ａ３は、基板３を挟むようにして一対のカードＣａ，Ｃｂを貼り合わせる。この場合、香りサンプル容器Ａ３は、その正面及び背面のいずれもが、図６に示すように、カードＣａ，Ｃｂの切り抜き部６から容器本体１が突出した状態になる。
【００３５】
上記の香りサンプル容器Ａ３にあっても、先の各実施形態と同様に、容器本体１の押圧により、弁部４を開放して通気路２から香りを排出させるので、より鮮明に商品の香りを確認（嗅ぐ）することが可能であって、ポップ用品として商品のアピール性をより高めることができる。
【００３６】
また、上記の香りサンプル容器Ａ３は、一対のカードＣａ，Ｃｂにより、容器本体１の機能を何ら損なうことなく、宣伝広告等の表示範囲を拡大し、しかも、通気路２の弁部４により、常態における香料の発散等を抑制し得るものとなる。
【００３７】
本発明に係わる香りサンプル容器は、その構成が上記各実施形態に限定されるものではなく、本発明の要旨を逸脱しない範囲で適宜変更することが可能である。つまり、香りサンプル容器は、例えば、容器本体１の形状、通気路２の数や向き、及び基板３の形状や容器本体１に対する大きさなどを自在に設定することが可能である。
【００３８】
また、一対のカードＣＡ，Ｃｂは、各実施形態で説明したように、互いに連続したものでも良いし、一枚ずつ分離したものでも良く、紙や合成樹脂のシート類を用いることができる。
【符号の説明】
【００３９】
Ａ１，Ａ２，Ａ３  香りサンプル容器
Ｃａ，Ｃｂ  カード
Ｓ  サンプル材
１  容器本体
２  通気路
３  基板
４  弁部
６  切り抜き部
【図１】
2019026352.tif 000003
【図２】
2019026352.tif 000004
【図３】
2019026352.tif 000005
【図４】
2019026352.tif 000006
【図５】
2019026352.tif 000007
【図６】
2019026352.tif 000008
【図７】
2019026352.tif 000009